(57)【要約】【課題】放電灯の容量の変動に支障なく放電灯点灯装置の位置を任意に設定することができる照明器具を提供する。【解決手段】照明器具１０は、器具本体１１と、器具本体１１に保持される放電灯１２と、商用電源を受けて高周波電力に変換し、放電灯１２を点灯する放電灯点灯装置１３と、を備え、放電灯点灯装置１３は、放電灯１２の形状に応じて器具本体１１上を移動可能な移動手段２６，２７，２８を介して器具本体１１に取り付けた。【選択図】図１
2010251265.tif 000002
【特許請求の範囲】
【請求項１】
器具本体と、
前記器具本体に保持される放電灯と、
商用電源を受けて高周波電力に変換し、前記放電灯を点灯する放電灯点灯装置と、
を備える照明器具であって、
前記放電灯点灯装置は、前記放電灯の形状に応じて前記器具本体上を移動可能な移動手段を介して前記器具本体に取り付けられていることを特徴とする照明器具。
【請求項２】
基板上に実装されて赤外線リモコン信号を受光する受光素子を有する受光部を前記放電灯点灯装置に備えたことを特徴とする請求項１に記載した照明器具。
【請求項３】
前記移動手段は、前記放電灯点灯装置の前記器具本体への固定と、前記基板の前記器具本体へ接続することにより雑音防止する効果と、を兼ねる複数のビス孔であることを特徴とする請求項２に記載した照明器具。
【発明の詳細な説明】
【技術分野】
【０００１】
本発明は、例えば住宅等の天井面に直接取り付けられる直付型の照明器具に関する。
【背景技術】
【０００２】
従来の照明器具の一例として、器具本体に、プリント配線板をそれぞれ有する２つの安定器を装備した照明器具がある（例えば、特許文献１参照）。
【先行技術文献】
【特許文献】
【０００３】
【特許文献１】特開２００６−３０２５３３号公報（図１、段落番号００１８）
【発明の概要】
【発明が解決しようとする課題】
【０００４】
ところが、上記特許文献１に開示された従来の照明器具では、２つの安定器のいずれかに赤外線リモコン信号を受光する受光素子を取り付けた場合、受光素子の位置が固定される。
従って、例えば照明器具の電力量が大容量になってランプである放電灯が大型化したりすると、受光素子と放電灯との位置関係を維持できなくなり、赤外線リモコンの到達性能が、電力量の変更に伴い変動する虞がある。
【０００５】
本発明は、前述した課題を解決するためになされたものであり、その目的は、放電灯の容量の変動に支障なく放電灯点灯装置の位置を任意に設定することができる照明器具を提供することにある。
【課題を解決するための手段】
【０００６】
本発明に係る照明器具は、器具本体と、前記器具本体に保持される放電灯と、商用電源を受けて高周波電力に変換し、前記放電灯を点灯する放電灯点灯装置と、を備える照明器具であって、前記放電灯点灯装置は、前記放電灯の形状に応じて前記器具本体上を移動可能な移動手段を介して前記器具本体に取り付けられていることを特徴とする。
【０００７】
本発明においては、放電灯点灯装置は移動手段により任意な位置に取り付けられる。
これにより、器具本体の中心に有する開口部や放電灯の容量の変動に伴い変更される外径や内径に応じて取付位置が変更されてセードを取り付けるための止め具の位置等に支障のない位置に放電灯点灯装置を配置することができる。
従って、放電灯の容量の変動に支障なく放電灯点灯装置の位置を任意に設定することができる。
【０００８】
本発明に係る照明器具は、上記構成の照明器具において、基板上に実装されて赤外線リモコン信号を受光する受光素子を有する受光部を前記放電灯点灯装置に備えたことを特徴とする。
【０００９】
本発明においては、赤外線リモコン信号を受光する基板上に実装した受光素子を有する受光部を備えた放電灯点灯装置が移動手段により任意な位置に取り付けられる。
これにより、受光部の受光素子に支障のない位置に放電灯点灯装置を配置することができる。
従って、赤外線リモコンの到達性能に支障なく放電灯点灯装置の位置を任意に設定することができる。
【００１０】
本発明においては、放電灯点灯装置は放電灯や他の部品に支障のない位置に応じて移動手段の複数のビス孔の一つを選んで器具本体にビス固定される。
これにより、放電灯点灯装置は器具本体へ固定されるとともに基板を器具本体へ接地させる。
従って、接地回路を形成するための配線等を用いることなく簡潔な構造にすることができる。
【００１１】
本発明においては、放電灯点灯装置は放電灯や他の部品に支障のない位置に応じて移動手段の複数のビス孔の一つを選んで器具本体にビス固定される。
これにより、放電灯点灯装置は器具本体へ固定されるとともに基板を器具本体へ接地させる。
従って、接地回路を形成するための配線等を用いることなく簡潔な構造にすることができる。
【発明の効果】
【００１２】
本発明の照明器具によれば、放電灯点灯装置は、放電灯の形状に応じて器具本体上を移動可能な移動手段を介して前記器具本体に取り付けられている。
これにより、放電灯の容量の変動に支障なく放電灯点灯装置の位置を任意に設定することができるという効果を有する。
【図面の簡単な説明】
【００１３】
【図１】本発明に係る一実施形態の照明器具の放電灯点灯装置の第１位置の底面図
【図２】図１に示した照明器具に用いられる放電灯点灯回路周りの底面図
【図３】図１に示した照明器具の放電灯点灯装置の第２位置の底面図
【図４】図１に示した照明器具の放電灯点灯装置の第３位置の底面図
【発明を実施するための形態】
【００１４】
以下、本発明の一実施形態に係る照明器具について図面を参照して説明する。
【００１５】
図１に示すように、本発明の一実施形態である照明器具１０は、器具本体１１と、２重の放電灯１２，１２と、放電灯点灯装置１３と、セード１４と、とを主として備える。
【００１６】
器具本体１１は、金属製で円板形状に形成されている。器具本体１１の中央部には不図示の天井面に設けられている省施工用部品に外嵌される角孔形状の開口部１５が形成されている。
【００１７】
器具本体１１の側縁部にはセード１４を取り付けるための複数の止め具１６が組み付けられている。止め具１６は放電灯１２の容量の変動に伴い変更される外径寸法や内径寸法に応じて取付位置が変更される。
【００１８】
放電灯１２は、環状形の蛍光灯であって一部に樹脂部品１７を有する。放電灯１２は器具本体１１に取り付けられている不図示のランプ保持部品により器具本体１１に保持されている。
【００１９】
放電灯１２は、その外径が外径寸法Ｄ１を有し、その内径が内径寸法Ｄ２を有する。放電灯１２は、その容量が大容量になると外径寸法が大きくなるとともに内径寸法が大きくなる。これに対して、その容量が小容量になると外径寸法が小さくなるとともに内径寸法が小さくなる。
【００２０】
セード１４は、放電灯１２を覆うようにして止め具１６に合わせて回動されることにより器具本体１１に組み付けられる。
【００２１】
図２に示すように、放電灯点灯装置１３は、ケース１８と、基板１９と、電源部２０と、受光素子２２を有する受光部２１と、制御部２３と、から構成されている。
【００２２】
ケース１８は、絶縁性のある樹脂材料等を用いて長部ケース２４と短部ケース２５とをほぼ９０度の角度で屈曲成形したＬ字形状に形成されている。長部ケース２４には移動手段を構成する３個の第１ビス孔２６、第２ビス孔２７、第３ビス孔２８が器具本体１１の径方向に距離Ｌ１ずつ離して並べて形成されている。
【００２３】
基板１９は、ケース１８の長部ケース２４と短部ケース２５とに収容されるＬ字形状に形成されており、不図示の配線パターンを有する。そして、基板１９は配線パターン上に移動手段の第１ビス孔２６、第２ビス孔２７、第３ビス孔２８に対応した不図示のスルーホールを有する。
【００２４】
電源部２０は、基板１９上に組み付けられており、その入力側に天井側から引き込まれた不図示の電源配線が接続され、その出力側に放電灯１２に電気的に接続される不図示の電源配線が接続される。電源部２０は商用電源を受けて高周波電力に変換し、放電灯１２を点灯する電源を創生する。
【００２５】
受光素子２２は、基板１９上に実装されており、赤外線リモコンを受光して電気信号に変換する。受光部２１は受光素子２２により変換された電気信号を増幅等処理して制御部２３に転送する。
【００２６】
制御部２３は受光部２１から与えられた電気信号に基づいて放電灯１２の点灯制御を行う。
【００２７】
ここで、ケース１８は、第１ビス孔２６にビス２９が挿通されて器具本体１１に形成されている不図示の単一のビス孔にねじ込まれている。そのため、放電灯点灯装置１３は開口部１５に一番近い位置Ａ１に配置され、その基板１９の配線パターンが器具本体１１に接地される。
【００２８】
位置Ａ１に固定された放電灯点灯装置１３は、開口部１５、止め具１６および受光素子２２の位置に支障のない位置に配置される。受光素子２２は放電灯１２の樹脂部品１７の影に隠れない位置に配置される。
【００２９】
次に、放電灯１２の容量に変動が生じた場合について説明する。
【００３０】
図３に示すように、放電灯１２の容量が大容量になった場合、例えば、その外径が外径寸法Ｄ３になり、その内径が内径寸法Ｄ４になる。
【００３１】
そこで、放電灯点灯装置１３は、そのケース１８の第２ビス孔２７にビス２９が挿通されて器具本体１１にねじ込まれる。そのため、放電灯点灯装置１３は開口部１５からわずかに離れた位置Ａ２に配置され、その基板１９の配線パターンが器具本体１１に接地される。
【００３２】
位置Ａ２に固定された放電灯点灯装置１３は、開口部１５、止め具１６および受光素子２２の位置に支障のない位置に配置される。受光素子２２は放電灯１２の樹脂部品１７の影に隠れない位置に配置される。
【００３３】
図４に示すように、放電灯１２の容量がさらに大容量になった場合、例えば、その外径が外径寸法Ｄ５になり、その内径が内径寸法Ｄ６になる。
【００３４】
そこで、放電灯点灯装置１３は、そのケース１８の第３ビス孔２８にビス２９が挿通されて器具本体１１にねじ込まれる。そのため、放電灯点灯装置１３は開口部１５から離れた位置Ａ３に配置され、その基板１９の配線パターンが器具本体１１に接地される。
【００３５】
位置Ａ３に固定された放電灯点灯装置１３は、開口部１５、止め具１６および受光素子２２の位置に支障のない位置に配置される。受光素子２２は放電灯１２の樹脂部品１７の影に隠れない位置に配置される。
【００３６】
本発明の一実施形態の照明器具１０では、放電灯点灯装置１３は移動手段である第１ビス孔２６、第２ビス孔２７、第３ビス孔２８の一つを選ぶことにより任意な位置に取り付けられる。
これにより、器具本体１１の開口部１５や止め具１６の位置等に支障のない位置に放電灯点灯装置１３を配置することができる。
従って、放電灯１２の容量の変動に支障なく放電灯点灯装置１３の位置を任意に設定することができる。
【００３７】
本発明の一実施形態の照明器具１０では、基板１９上に実装されて赤外線リモコン信号を受光する受光素子２２を有する受光部２１を備えた放電灯点灯装置１３が移動手段である第１ビス孔２６、第２ビス孔２７、第３ビス孔２８により任意な位置に取り付けられる。
これにより、受光部２１の受光素子２２に支障のない位置に放電灯点灯装置１３を配置することができる。
従って、赤外線リモコンの到達性能に支障なく放電灯点灯装置１３の位置を任意に設定することができる。
【００３８】
本発明の一実施形態の照明器具１０では、放電灯点灯装置１３は放電灯１２や開口部１５や止め具１６に支障のない位置に応じて移動手段である第１ビス孔２６、第２ビス孔２７、第３ビス孔２８の一つを選んで器具本体１１にビス２９により固定される。
これにより、放電灯点灯装置１３は器具本体１１へ固定されるとともに基板１９を器具本体１１へ接地させる。
従って、接地回路を形成するための配線等を用いることなく簡潔な構造にすることができる。
本発明の照明器具１０では、器具本体１１、放電灯点灯装置１３の形状や位置、放電灯１２のＷ数に応じて受光部２１がユニットとして移動でき、ブロック形状の共有化という効果が得られる。
また、本発明の照明器具１０では、ソケットである樹脂部品１７と受光部２１との相対的な位置関係により、受光部２１の精度が安定する。
さらに、本発明の照明器具１０では、放電灯点灯装置１３が略Ｌ字状であるため、放電灯１２のＷ数に応じて移動でき、器具本体１１を共用化できる。
そして、本発明の照明器具１０では、器具本体１１に複数の孔を設けているため、これによっても器具本体１１を共用化できる。
また、本発明の照明器具１０では、基板１９に複数の孔を設けているため、虫、塵埃等が侵入せず、これによっても器具本体１１を共用化できる。
【００３９】
なお、前記各実施形態で使用した器具本体１１、放電灯１２、セード１４等は例示したものに限定するものではなく適宜変更が可能である。
【符号の説明】
【００４０】
１０  照明器具
１１  器具本体
１２  放電灯
１３  放電灯点灯装置
１９  基板
２１  受光部
２２  受光素子
２６  第１ビス孔（移動手段）
２７  第２ビス孔（移動手段）
２８  第３ビス孔（移動手段）
【図１】
2010251265.tif 000003
【図２】
2010251265.tif 000004
【図３】
2010251265.tif 000005
【図４】
2010251265.tif 000006